(57)【特許請求の範囲】
【請求項１】
テレビジョン放送受信機能と現在位置を取得するＧＰＳ（Global Positioning System）機能とを少なくとも備えた携帯端末において、移動しながら前記テレビジョン放送受信機能によりテレビジョン放送を視聴している際に、あらかじめ定めた一定時間経過する都度前記ＧＰＳ機能による測位を繰り返し、直前の測位結果の位置と今回の測位結果の位置とを直線で結ぶ延長線上にあって、今回の測位結果の位置からあらかじめ定めた距離だけ移動した位置を今後通過する予想通過点として予測し、予測した該予想通過点に向かう移動方向において受信電界強度が最も強い放送エリアのチャンネルを、次に切り替えるべき放送エリアのチャンネルとして、現在視聴中のテレビジョン放送と同系列の番組を放送している隣接の放送エリアのチャンネルの中から抽出し、
予測した前記予想通過点に向かう移動方向において受信電界強度が最も強い放送エリアのチャンネルを抽出する手段の一つとして、前記予想通過点と今回の測位結果の位置とを直線で結ぶ直線経路に対して直線距離が最も短い放送局または中継局が存在する放送エリアのチャンネルを前記隣接の放送エリアのチャンネルの中から抽出することを特徴とする携帯端末。
【請求項２】
予測した前記予想通過点に向かう移動方向において受信電界強度が最も強い放送エリアのチャンネルを抽出する手段の一つとして、前記予想通過点において受信電界強度が最も強い放送エリアのチャンネルを前記隣接の放送エリアのチャンネルの中から抽出することを特徴とする請求項１に記載の携帯端末。
【請求項３】
次に切り替えるべき放送エリアのチャンネルとして抽出した放送エリアのチャンネルのテレビジョン放送信号のキャリアノイズ比を、現在視聴中の放送エリアのチャンネルのテレビジョン放送信号のキャリアノイズ比と比較し、次に切り替えるべき放送エリアのチャンネルとして抽出した放送エリアのチャンネルのテレビジョン放送信号のキャリアノイズ比が、現在視聴中の放送エリアのチャンネルのテレビジョン放送信号のキャリアノイズ比よりも上回った際に、次に切り替えるべき放送エリアのチャンネルを今後の視聴用の放送エリアのチャンネルとして選局し、現在視聴中の放送エリアのチャンネルを、次に切り替えるべき放送エリアのチャンネルに切り替えることを特徴とする請求項１又は２に記載の携帯端末。
【請求項４】
次に切り替えるべき放送エリアのチャンネルとして抽出した放送エリアのチャンネルのテレビジョン放送の映像音声情報の受信品質を、現在視聴中の放送エリアのチャンネルのテレビジョン放送の映像音声情報の受信品質と比較し、次に切り替えるべき放送エリアのチャンネルとして抽出した放送エリアのチャンネルのテレビジョン放送の映像音声情報の受信品質が、現在視聴中の放送エリアのチャンネルのテレビジョン放送の映像音声情報の受信品質よりも上回った際に、次に切り替えるべき放送エリアのチャンネルを今後の視聴用の放送エリアのチャンネルとして選局し、現在視聴中の放送エリアのチャンネルを、次に切り替えるべき放送エリアのチャンネルに切り替えることを特徴とする請求項１又は２記載の携帯端末。
【請求項５】
テレビジョン放送受信機能と現在位置を取得するＧＰＳ（Global Positioning System）機能とを少なくとも備えた携帯端末におけるテレビジョン放送自動選局方法であって、移動しながら前記テレビジョン放送受信機能によりテレビジョン放送を視聴している際に、あらかじめ定めた一定時間経過する都度前記ＧＰＳ機能による測位を繰り返し、直前の測位結果の位置と今回の測位結果の位置とを直線で結ぶ延長線上にあって、今回の測位結果の位置からあらかじめ定めた距離だけ移動した位置を今後通過する予想通過点として予測し、予測した該予想通過点に向かう移動方向において受信電界強度が最も強い放送エリアのチャンネルを、次に切り替えるべき放送エリアのチャンネルとして、現在視聴中のテレビジョン放送と同系列の番組を放送している隣接の放送エリアのチャンネルの中から抽出し、
予測した前記予想通過点に向かう移動方向において受信電界強度が最も強い放送エリアのチャンネルを抽出する手段の一つとして、前記予想通過点と今回の測位結果の位置とを直線で結ぶ直線経路に対して直線距離が最も短い放送局または中継局が存在する放送エリアのチャンネルを前記隣接の放送エリアのチャンネルの中から抽出することを特徴とするテレビジョン放送自動選局方法。
【請求項６】
予測した前記予想通過点に向かう移動方向において受信電界強度が最も強い放送エリアのチャンネルを抽出する手段の一つとして、前記予想通過点において受信電界強度が最も強い放送エリアのチャンネルを前記隣接の放送エリアのチャンネルの中から抽出することを特徴とする請求項５に記載のテレビジョン放送自動選局方法。
【請求項７】
次に切り替えるべき放送エリアのチャンネルとして抽出した放送エリアのチャンネルのテレビジョン放送信号のキャリアノイズ比を、現在視聴中の放送エリアのチャンネルのテレビジョン放送信号のキャリアノイズ比と比較し、次に切り替えるべき放送エリアのチャンネルとして抽出した放送エリアのチャンネルのテレビジョン放送信号のキャリアノイズ比が、現在視聴中の放送エリアのチャンネルのテレビジョン放送信号のキャリアノイズ比よりも上回った際に、次に切り替えるべき放送エリアのチャンネルを今後の視聴用の放送エリアのチャンネルとして選局し、現在視聴中の放送エリアのチャンネルを、次に切り替えるべき放送エリアのチャンネルに切り替えることを特徴とする請求項５又は６に記載のテレビジョン放送自動選局方法。
【請求項８】
請求項５ないし７のいずれかに記載のテレビジョン放送自動選局方法を、コンピュータにより実行可能なプログラムとして実施することを特徴とするテレビジョン放送自動選局プログラム。
【発明の詳細な説明】
【技術分野】
【０００１】
本発明は、携帯端末、テレビジョン放送自動選局方法およびテレビジョン放送自動選局プログラムに関し、特に、移動中の携帯端末に搭載のワンセグ放送用のデジタルテレビジョン放送受信装置において地上デジタルテレビジョン放送の自動選局を可能とする仕組みに関する。
【背景技術】
【０００２】
一般に、移動端末例えば携帯端末に搭載されているテレビジョン放送受信装置においては、特許文献１の特開２００８−２７８０５８号公報「移動端末および受信方法」にも記載されているように、移動中の位置情報を取得するために、移動端末例えば携帯端末にＧＰＳ（Global Positioning System）機能を搭載し、該ＧＰＳ機能を用いて、現在地情報を取得している。
【０００３】
そして、移動中の移動端末例えば携帯端末に搭載されているテレビジョン放送受信装置は、ＧＰＳ機能により取得した現在値情報に基づいて、現在視聴しているテレビジョン放送について、現在視聴している放送エリアと同系列の番組を放送する隣接する放送エリアとが重複する放送エリアに現在地が移動したか否かを検出する。
【０００４】
移動端末例えば携帯端末に搭載のテレビジョン放送受信装置が、重複エリアに移動したことを検出すると、現在地が含まれる現在視聴している放送エリアおよび該放送エリアと同系列の番組を放送する隣接する放送エリアの双方の電界強度を比較し、隣接する放送エリアの電界強度が、現在視聴している放送エリアのチャンネルの電界強度を上回った時点で、隣接する放送エリアのチャンネルに切り替えを行い、たとえ、移動していても、視聴中のテレビジョン放送を継続して視聴することを可能としている。
【先行技術文献】
【特許文献】
【０００５】
【特許文献１】特開２００８−２７８０５８号公報（第９−１１頁）
【発明の概要】
【発明が解決しようとする課題】
【０００６】
しかしながら、前述の特許文献１のように、切り替えるべきチャンネルの選択に、現在位置の情報のみを用いて判断した場合、次のような問題がある。
【０００７】
例えば、図１に示すように、同系列の番組を放送する放送エリアとして、３つ以上の放送エリアが隣接して存在しているエリアを通過する場合、つまり、隣接する３つ以上のチャンネルが重複するような重複エリアを通過する場合、重複する３つ以上の放送エリアの中から、現在存在する位置において電界強度が最も強い放送エリアを選択したとしても、選択した放送エリアのチャンネルが現在の移動方向に対して最適であるとは限らない。
【０００８】
図１は、テレビジョン放送受信機能を備えた携帯端末が３つ以上の放送エリアが重複するエリアを通過する場合の様子を示す模式図であり、テレビジョン放送受信装置を備えた携帯端末１が、矢印に示すように、放送局ａ，ｂ，ｃそれぞれの放送エリアＡ、Ｂ，Ｃが重複しているエリアを通って、放送エリアＡ内の地点ｐ１から放送エリアＢ内の地点ｐ３に向かって直線経路ｌ上を直線的に移動している様子を示している。ここで、放送局ａ，ｂ，ｃは、例えば、ワンセグデジタル放送を放送しているワンセグ放送局であり、地点ｐ１が、ＧＰＳ機能による測位を開始したＧＰＳ測位開始点であり、地点ｐ２が、直線経路ｌ上を移動中の携帯端末１が第２回目に測位したＧＰＳ測位点であり、地点ｐ３が、地点ｐ１と地点ｐ２とを結ぶ直線の延長上にある直線経路ｌ上の予想通過点を示している。
【０００９】
例えば、図１に示すように、携帯端末１が、放送エリアＡ内の地点ｐ１から放送エリアＢ内の地点ｐ３に向かって直線経路ｌ上を移動した場合、放送エリアＡ，Ｂ，Ｃが重複する重複エリアＲ１に差し掛かった以降において、放送エリアＣの電界強度が最も強いと判断して、放送エリアＣの放送局ｃのチャンネルに切り替えたとする。しかし、直線経路ｌ上を少し移動した時点では、放送エリアＢ，Ｃが重複する重複エリアＲ２に移動することになり、切り替えた直後の放送エリアＣよりも放送エリアＢの電界強度が最も強くなり、再度、放送エリアＢの放送局ｂのチャンネルに切り替えることになってしまう。
【００１０】
つまり、現在位置の情報のみを用いて、チャンネルの選択を行っても、選択されたチャンネルが現在の移動方向に対して最適であるとは限らないため、移動方向によっては、再度、チャンネルのサーチが必要となる可能性が生じる。すなわち、このようなチャンネル選択方法では、例えば、図１の放送エリアＡにおいてチャンネルＣＨ１のワンセグ放送を視聴している携帯端末１が、直線経路ｌ上を、予想通過点ｐ３の方向に移動中であるにも関わらず、３つ以上の放送エリアが重複する重複エリアＲ１を経由すると、進路上にはない隣接の放送エリアＣの電界強度が強くなっている場合が存在するため、放送エリアＣの放送局ｃのチャンネルＣＨ３に切り替えてしまう。しかる後、直線経路ｌ上を少し移動すると、今度は、放送エリアＢの放送局ｂのチャンネルＣＨ２に再度切り替えなければならないという事態が発生し、視聴している番組をスムーズに連続して視聴することができないという問題が発生する。
【００１１】
（本発明の目的）
本発明は、かかる事情に鑑みてなされたものであり、移動中の携帯端末に対して最適のチャンネルに自動的に切り替えることを可能とする携帯端末、テレビジョン放送自動選局方法およびテレビジョン放送自動選局プログラムを提供することをその目的としている。
【課題を解決するための手段】
【００１２】
前述の課題を解決するため、本発明による携帯端末、テレビジョン放送自動選局方法およびテレビジョン放送自動選局プログラムは、主に、次のような特徴的な構成を採用している。
【００１３】
（１）本発明による携帯端末は、テレビジョン放送受信機能と現在位置を取得するＧＰＳ（Global Positioning System）機能とを少なくとも備えた携帯端末において、移動しながら前記テレビジョン放送受信機能によりテレビジョン放送を視聴している際に、あらかじめ定めた一定時間経過する都度前記ＧＰＳ機能による測位を繰り返し、直前の測位結果の位置と今回の測位結果の位置とを直線で結ぶ延長線上にあって、今回の測位結果の位置からあらかじめ定めた距離だけ移動した位置を今後通過する予想通過点として予測し、予測した該予想通過点に向かう移動方向において受信電界強度が最も強い放送エリアのチャンネルを、次に切り替えるべき放送エリアのチャンネルとして、現在視聴中のテレビジョン放送と同系列の番組を放送している隣接の放送エリアのチャンネルの中から抽出することを特徴とする。
【００１４】
（２）本発明によるテレビジョン放送自動選局方法は、テレビジョン放送受信機能と現在位置を取得するＧＰＳ（Global Positioning System）機能とを少なくとも備えた携帯端末におけるテレビジョン放送自動選局方法であって、移動しながら前記テレビジョン放送受信機能によりテレビジョン放送を視聴している際に、あらかじめ定めた一定時間経過する都度前記ＧＰＳ機能による測位を繰り返し、直前の測位結果の位置と今回の測位結果の位置とを直線で結ぶ延長線上にあって、今回の測位結果の位置からあらかじめ定めた距離だけ移動した位置を今後通過する予想通過点として予測し、予測した該予想通過点に向かう移動方向において受信電界強度が最も強い放送エリアのチャンネルを、次に切り替えるべき放送エリアのチャンネルとして、現在視聴中のテレビジョン放送と同系列の番組を放送している隣接の放送エリアのチャンネルの中から抽出することを特徴とする。
【００１５】
（３）本発明によるテレビジョン放送自動選局プログラムは、少なくとも前記（２）に記載のテレビジョン放送自動選局方法を、コンピュータにより実行可能なプログラムとして実施することを特徴とする。
【発明の効果】
【００１６】
本発明の携帯端末、テレビジョン放送自動選局方法およびテレビジョン放送自動選局プログラムによれば、以下のような効果を奏することができる。
【００１７】
すなわち、本発明においては、ＧＰＳ機能によって取得された位置情報に基づいて、テレビジョン放送例えば地上デジタル放送を視聴中の携帯端末の今後の移動先とされる予想通過点を予測し、その予想通過点の予測結果を用いて、該予想通過点における放送エリアについて次のチャンネルサーチを実行することによって、隣接する３つ以上のチャンネルが重複する放送エリアを通過する場合であっても、当該携帯端末の移動方向に適したチャンネル選択を確実に行うことが可能であり、移動中において途切れることなくテレビジョン放送例えば地上デジタル放送を視聴することができる。
【図面の簡単な説明】
【００１８】
【図１】テレビジョン放送受信機能を備えた携帯端末が３つ以上の放送エリアが重複するエリアを通過する場合の様子を示す模式図である。
【図２】本発明に係る携帯端末のブロック構成の一例を示すブロック構成図である。
【図３】図２に示す携帯端末の動作の一例を説明するためのフローチャートである。
【図４】図１の携帯端末におけるチャンネル選局動作の詳細を説明するための動作説明図である。
【図５】テレビジョン放送受信機能を備えた携帯端末が３つ以上の放送エリアが重複するエリアを通過する場合の予想通過点の決定および次に切り替えるチャンネルの候補の選択を行う具体的な方法を説明するための模式図である。
【発明を実施するための形態】
【００１９】
以下、本発明による携帯端末、テレビジョン放送自動選局方法およびテレビジョン放送自動選局プログラムの好適な実施形態について添付図を参照して説明する。なお、以下の説明においては、本発明による携帯端末およびテレビジョン放送自動選局方法について説明するが、かかるテレビジョン放送自動選局方法をコンピュータにより実行可能なテレビジョン放送自動選局プログラムとして実施するようにしても良いし、あるいは、テレビジョン放送自動選局プログラムをコンピュータにより読み取り可能な記録媒体に記録するようにしても良いことは言うまでもない。
【００２０】
（本発明の特徴）
本発明の実施形態の説明に先立って、本発明の特徴についてその概要をまず説明する。本発明は、テレビジョン放送受信機能を搭載の携帯端末においてテレビジョン放送例えば地上デジタル放送を視聴しながら、長距離移動中であっても、視聴中のテレビジョン放送例えば地上デジタル放送を、途切れることなく、視聴することができる仕組みを実現している。
【００２１】
つまり、本発明は、移動中の携帯端末において、当該携帯端末に搭載のＧＰＳ（Global Positioning System）機能によって取得した現在位置情報に基づいて、当該携帯端末が今後通過すると予想される予想通過点を予測し、予測した予想通過点の位置において電界強度が最も強い放送エリアのチャンネルを自動的に選択するチャンネルサーチを実行することによって、当該携帯端末の移動方向に適したチャンネル選択を可能とすることを特徴としている。
【００２２】
図１に示した模式図を用いて、本発明の特徴についてさらに説明する。図１は、前述したように、テレビジョン放送受信機能を備えた携帯端末が３つ以上の放送エリアが重複するエリアを通過する場合の様子を示す模式図であり、テレビジョン放送受信機能を備えた携帯端末１が、矢印に示すように、放送局ａ，ｂ，ｃそれぞれの放送エリアＡ、Ｂ，Ｃが重複しているエリアを通って、放送エリアＡ内の地点ｐ１から放送エリアＢ内の地点ｐ３に向かって直線経路ｌ上を直線的に移動している様子を示している。
【００２３】
移動を開始した携帯端末１は、放送エリアＡに属するＧＰＳ測位開始点である地点ｐ１にて、ＧＰＳ機能による測位を開始した後、あらかじめ定めた一定時間経過する都度、ＧＰＳ機能による測位を繰り返し、直前の測位結果と今回の測位結果とを直線で結ぶ延長線上を今後の移動方向として予測する動作を繰り返す。例えば、最初のＧＰＳ測位開始点の地点ｐ１の次に、直線経路ｌ上を移動中の次のＧＰＳ測位点の地点ｐ２において第２回目の測位を行った際に、地点ｐ１における第１回目の測位結果を用いて、地点ｐ１と地点ｐ２とを結ぶ直線の延長上にある直線経路ｌ上の予想通過点ｐ３を予測する。ここで、直線経路ｌ上の予想通過点ｐ３の位置は、今後のチャンネル切り替え候補とすべき放送エリアを選択可能とする距離としてあらかじめ定めた距離Ｄだけ、今回のＧＰＳ測位点である地点ｐ２から移動した直線経路ｌ上の位置としている。
【００２４】
しかる後、今後の移動先として予測される該予想通過点ｐ３に向かう移動方向において受信電界強度が最も強い放送エリアのチャンネルを、今後のチャンネル切り替え候補と決定して、現在位置している放送エリアＡの電界強度との比較対象とする放送エリアとして隣接の放送エリアの中から選択することによって、最適なチャンネルサーチを実行する。なお、今後のチャンネル切り替え候補を選択する際に、今後の移動先として予測される予想通過点ｐ３と直近の測位結果である第２回目の測位点の地点ｐ２とを直線で結ぶ直線経路ｌに最も近い（直線距離が最も短い）放送局または中継局が存在する放送エリアＢ（チャンネルＣＨ２）を、あるいは、今後の移動先として予測される予想通過点ｐ３において電界強度が最も強い放送エリアＢ（チャンネルＣＨ２)を、現在位置している放送エリアＡの電界強度との比較対象とする放送エリアとして選択することによって、最適なチャンネルサーチを実行するようにしても良い。
【００２５】
しかる後、携帯端末１の現在位置において、現在視聴している放送エリアＡのチャンネルＣＨ１の電界強度（受信品質）を、選択した放送エリアＢのチャンネルＣＨ２の電界強度（受信品質）と比較する。放送エリアＡにおけるチャンネルＣＨ１の電界強度（受信品質）が放送エリアＢのチャンネルＣＨ２の電界強度（受信品質）以上である限り、現在視聴している放送エリアＡのチャンネルＣＨ１の選択状態をそのまま継続するが、放送エリアＢのチャンネルＣＨ２の電界強度（受信品質）が放送エリアＡのチャンネルＣＨ１の電界強度（受信品質）よりも上回った場合には、放送エリアＡにおいて視聴中のチャンネルＣＨ１を放送エリアＢにおけるチャンネルＣＨ２へとチャンネル切り替えを自動的に行う。
【００２６】
以降、あらかじめ定めた一定時間経過する都度、ＧＰＳ機能による測位を繰り返すことにより、現在位置における今後の予想通過点を予測し、該予想通過点における放送エリアを選択して、現在視聴中の放送エリアの電界強度との比較結果に基づく最適のチャンネルサーチを行う動作を繰り返す。
【００２７】
而して、テレビジョン放送例えば地上デジタル放送を視聴しながら移動中であっても、携帯端末１において視聴中のテレビジョン放送例えば地上デジタル放送を連続的に視聴することを可能としている。
【００２８】
（実施形態の構成例）
次に、本発明に係る携帯端末の構成について、その一例を図２を用いて説明する。図２は、本発明に係る携帯端末のブロック構成の一例を示すブロック構成図であり、テレビジョン放送受信機能として、地上デジタル放送のデジタルテレビジョン放送（ＤＴＶ：Digital Television）を選局・復調するチューナを２個備えるとともに、現在位置を取得するＧＰＳ機能をも備えている場合を示している。
【００２９】
すなわち、図２に示す携帯端末１は、第１ＤＴＶチューナ１１、第２ＤＴＶチューナ１２、ＧＰＳ１３、制御部１４、映像音声出力部１５、メモリ１６、ＤＴＶアンテナ１７、ＧＰＳアンテナ１８を少なくとも備えて構成されている。
【００３０】
第１ＤＴＶチューナ１１、第２ＤＴＶチューナ１２は、ＤＴＶアンテナ１７にて受信したテレビジョン放送信号の中から、制御部１４にて選局されたチャンネルのテレビジョン放送信号を抽出して、当該チャンネルの復調した映像音声情報を、制御部１４を介して映像音声出力部１５に出力し、映像音声出力部１５によりモニタに画面表示する。
【００３１】
なお、制御部１４は、第１ＤＴＶチューナ１１、第２ＤＴＶチューナ１２のチャンネル選局指示のみならず、第１ＤＴＶチューナ１１、第２ＤＴＶチューナ１２の電源をＯＮ／ＯＦＦする指示をも行っている。また、制御部１４は、ＧＰＳ１３の電源をＯＮ／ＯＦＦして、ＧＰＳアンテナ１８を介してＧＰＳ衛星から受信されるＧＰＳ情報に基づいて現在位置を取得する動作に関する指示を行っている。
【００３２】
また、メモリ１６には、携帯端末１が存在する各所在位置における地上デジタル放送の最適のチャンネルおよび地上デジタル放送を現在視聴中のチャンネルに関する情報を登録しているＤＴＶチャンネルリスト１６ａが記憶されており、制御部１４は、ＧＰＳ１３によって得られる現在位置情報や予測される予想通過点の位置情報に基づいて、メモリ１６に記憶されているＤＴＶチャンネルリスト１６ａを参照することによって、現在位置情報や予想通過点において最適のチャンネルを選局することができる。
【００３３】
（実施形態の動作の説明）
次に、図２に示す携帯端末１の動作の一例を、図３のフローチャートを参照しながら説明する。図３は、図２に示す携帯端末１の動作の一例を説明するためのフローチャートであり、地上デジタル放送を視聴しながら移動中の携帯端末１において、視聴中の地上デジタル放送のチャンネルを最適なチャンネルに自動的に切り替える動作の一例を示している。なお、図３のフローチャートに示す動作は、制御部１４により実行される。
【００３４】
図３のフローチャートにおいて、携帯端末１を携行するユーザが地上デジタル放送の視聴を指示すると、まず、制御部１４は、第１ＤＴＶチューナ１１、第２ＤＴＶチューナ１２のうち、第１ＤＴＶチューナ１１を選択して、電源をＯＮさせて立ち上げる（ステップＳ１）。次に、制御部１４は、ＧＰＳ１３から得られる現在位置情報に基づいて、メモリ１６に記憶されているＤＴＶチャンネルリスト１６ａを参照して、現在所在している放送エリア（つまり、これから視聴を開始する地上デジタル放送の放送エリア）と隣接する放送エリアをリストアップする（ステップＳ２）。
【００３５】
しかる後、ＤＴＶアンテナ１７にて受信される地上デジタル放送のうち第１ＤＴＶチューナ１１にて選局されたチャンネル例えば図１に示す放送エリアＡのチャンネルＣＨ１の放送信号が映像音声情報に復調されて、制御部１４を介して映像音声出力部１５から出力され、モニタに画面表示されることによって、ユーザは、地上デジタル放送の視聴を開始する（ステップＳ３）。ここで、制御部１４は、視聴中のチャンネルＣＨ１の電界強度を把握するための手段として、当該チャンネルＣＨ１の映像音声情報の受信品質を監視しており、視聴中のチャンネルＣＨ１の映像音声情報の受信品質が、次のチャンネルの選局動作を起動するための受信品質としてあらかじめ定めた第１の受信品質閾値を下回ったか否かをチェックしている（ステップＳ４）。
【００３６】
視聴中のチャンネルＣＨ１の映像音声情報の受信品質が該第１の受信品質閾値を下回っていない限り（ステップＳ４のＮＯ）、ステップＳ３に戻って、放送エリアＡのチャンネルＣＨ１の放送信号の選局をそのまま維持した視聴動作を継続する。一方、視聴中のチャンネルＣＨ１の映像音声情報の受信品質が該第１の受信品質閾値を下回った場合（ステップＳ４のＹＥＳ）、ステップＳ５に移行する。
【００３７】
ステップＳ５に移行すると、制御部１４は、ＧＰＳ１３を駆動して、第１回目の現在位置の測位を実行する（ステップＳ５）。さらに、第１回目の測位から一定時間経過した時点つまりあらかじめ定めた時間閾値が経過した時点で、ＧＰＳ１３を駆動して、第２回目の現在位置の測位を実行する（ステップＳ６）。次いで、ステップＳ５にて測位した第１回目の位置とステップＳ６にて測位した第２回目の位置との間の直線距離を算出し、算出した直線距離が、一定の距離以上、すなわち、今後の移動先となる予想通過点を予測するために充分な距離としてあらかじめ定めた予測可能距離閾値以上に達しているか否かをチェックする（ステップＳ７）。
【００３８】
算出した直線距離が該予測可能距離閾値に達していない場合は（ステップＳ７のＮＯ）、第２回目の測位結果を削除して、ステップＳ６に復帰し、さらに、次の一定時間が経過した時点つまりあらかじめ定めた時間閾値が経過した時点で、ＧＰＳ１３を駆動して、改めて、第２回目の現在位置の測位を実行する（ステップＳ６）。一方、算出した直線距離が該予測可能距離閾値に達していた場合は（ステップＳ７のＹＥＳ）、ステップＳ８に移行する。
【００３９】
ステップＳ８に移行すると、制御部１４は、ステップＳ７において算出した直線距離が示す直線のベクトル方向から携帯端末１の移動方向を求めて、求めた当該携帯端末１の移動方向において現在位置からあらかじめ定めた距離Ｄだけ離れた位置にある地点を今度移動する移動先の予想通過点として予測する。しかる後、予測した該予想通過点に向かう移動方向において受信電界強度が最も強い放送エリアのチャンネル例えば図１における放送エリアＢのチャンネルＣＨ２を、最も良好に受信することができる放送エリアのチャンネルとして、ステップＳ２において現在視聴中の地上デジタル放送の放送エリアと隣接する放送エリアとしてリストアップしておいた放送エリアの中から抽出する(ステップＳ８)。
【００４０】
なお、最良の受信品質が得られる放送エリアを選択する選択方法として、例えば、予測した予想通過点と直近の測位結果である第２回目の現在の測位点とを直線で結ぶ直線経路に最も近い（直線距離が最も短い）放送局が存在する放送エリアのチャンネル例えば図１における放送エリアＢのチャンネルＣＨ２を、ステップＳ２において現在視聴中の地上デジタル放送の放送エリアと隣接する放送エリアとしてリストアップしておいた放送エリアの中から抽出するようにしても良いし、あるいは、予測した予想通過点において現在視聴中の地上デジタル放送のチャンネルＣＨ１と同系列のチャンネルとして最も良好に受信することができるチャンネル例えば図１における放送エリアＢのチャンネルＣＨ２を、ステップＳ２において現在視聴中の地上デジタル放送の放送エリアと隣接する放送エリアとしてリストアップしておいた放送エリアの中から抽出するようにしても良い。
【００４１】
しかる後、制御部１４は、抽出したチャンネル例えば放送エリアＢのチャンネルＣＨ２の現在位置における受信品質を調べるために、現在視聴中の第１ＤＴＶチューナ１１とは別の第２ＤＴＶチューナ１２の電源をＯＮして立ち上げ、抽出したチャンネル例えば放送エリアＢのチャンネルＣＨ２を選局する（ステップＳ９）。さらに、制御部１４は、抽出したチャンネル例えば放送エリアＢのチャンネルＣＨ２に選局して設定されている第２ＤＴＶチューナ１２にて復調された映像音声情報の受信品質を測定する。
【００４２】
次いで、第２ＤＴＶチューナ１２で受信したチャンネルＣＨ２の映像音声情報の受信品質が、現在視聴中の放送エリアＡのチャンネルＣＨ１の映像音声情報の受信品質との比較が可能な受信品質としてあらかじめ定めた第２の受信品質閾値以上になっているか否かをチェックする（ステップＳ１０）。
【００４３】
第２ＤＴＶチューナ１２で受信したチャンネルＣＨ２の映像音声情報の受信品質が、該第２の受信品質閾値を下回っている場合は（ステップＳ１０のＮＯ）、現在視聴中のチャンネルＣＨ１をチャンネルＣＨ２の映像音声情報に切り替えるか否かを判定するまでの受信品質には達していないので、ステップＳ１１に移行して、第２ＤＴＶチューナ１２の電源を一旦ＯＦＦ状態に設定して（ステップＳ１１）、現在視聴中の放送エリアＡのチャンネルＣＨ１の映像音声情報をそのまま視聴用のチャンネルとして受信する状態を継続する。さらに、その時点からの経過時間があらかじめ定めた一定時間すなわちあらかじめ定めた時間閾値を経過した後、ステップＳ４に復帰し、現在視聴中のチャンネルＣＨ１の映像音声情報の受信品質が前記第１の受信品質閾値を下回っているか否かを確認する動作を繰り返す。
【００４４】
一方、第２ＤＴＶチューナ１２で受信したチャンネルＣＨ２の映像音声情報の受信品質が、前記第２の受信品質閾値以上に達した場合は（ステップＳ１０のＹＥＳ）、現在視聴中のチャンネルＣＨ１をチャンネルＣＨ２の映像音声情報に切り替えるか否かを判定するために、ステップＳ１２に移行する。
【００４５】
ステップＳ１２においては、現在視聴中のチャンネルＣＨ１の映像音声情報の受信品質と、第２ＤＴＶチューナ１２にて受信している切り替え候補のチャンネルＣＨ２の映像音声情報の受信品質とを比較する動作を開始する（ステップＳ１２）。第２ＤＴＶチューナ１２にて受信している切り替え候補のチャンネルＣＨ２の映像音声情報の受信品質が、現在視聴中のチャンネルＣＨ１の映像音声情報の受信品質よりも良好ではなかった場合には（ステップＳ１３のＮＯ）、現在視聴中の放送エリアＡのチャンネルＣＨ１の映像音声情報をそのまま視聴用のチャンネルとして受信する状態を継続しつつ、その時点からの経過時間があらかじめ定めた一定時間すなわちあらかじめ定めた時間閾値を経過した後、ステップＳ１０に復帰して、第２ＤＴＶチューナ１２で受信したチャンネルＣＨ２の映像音声情報の受信品質が、前記第２の受信品質閾値以上になっているか否かを再度チェックする動作を繰り返す。
【００４６】
一方、第２ＤＴＶチューナ１２にて受信している切り替え候補のチャンネルＣＨ２の映像音声情報の受信品質が、現在視聴中のチャンネルＣＨ１の映像音声情報の受信品質を上回った場合には（ステップＳ１３のＹＥＳ）、現在視聴中のチャンネルＣＨ１を、第２ＤＴＶチューナ１２にて受信している切り替え候補のチャンネルＣＨ２に切り替えるとともに、現在まで視聴用として使用していた第１ＤＴＶチューナ１１の電源をＯＦＦする（ステップＳ１４）。さらに、現在視聴中のチャンネルを示す情報としてメモリ１６に記憶されているＤＴＶチャンネルリスト１６ａの登録内容も更新する。
【００４７】
以上のようなチャンネルの自動切り替え動作によって、携帯端末１を携行したユーザが移動中であっても、当該ユーザは現在視聴中の地上デジタル放送を途切れることなく連続して視聴することができる。
【００４８】
次に、図４の動作説明図を用いて、図３のフローチャートにて示した図１の携帯端末におけるチャンネル選局動作についてさらに説明する。図４は、図１の携帯端末１におけるチャンネル選局動作の詳細を説明するための動作説明図であり、現在視聴している放送エリアＡのチャンネルＣＨ１から、予測された今後の移動先の放送エリアＢ内の予想通過点においてチャンネルＣＨ１と同系列の番組を放送しているチャンネルＣＨ２へのチャンネル切り替えを行う動作の一例を示している。なお、図４においては、チャンネルＣＨ１，ＣＨ２それぞれの電界強度の強さを制御部１４が判定する際に、前述のようなチャンネルＣＨ１，ＣＨ２それぞれの映像音声情報の受信品質を用いて判定する代わりに、ＤＴＶチューナ(第１ＤＴＶチューナ１１、第２ＤＴＶチューナ１２)が受信するチャンネルＣＨ１，ＣＨ２の放送信号のキャリアノイズ比（Ｃ／Ｎ：ＣＮ比）を用いて判定する場合を示している。
【００４９】
図４において、図４（Ａ）は、地上デジタル放送を視聴中の携帯端末１が図１に示す放送エリアＡ内の地点ｐ１から放送エリアＢ内の地点ｐ３に移動していった場合の、第１ＤＴＶチューナ１１にて受信するチャンネルＣＨ１のキャリアノイズ比（ＣＮ比）の変化の様子と第２ＤＴＶチューナ１２にて受信するチャンネルＣＨ２のキャリアノイズ比（ＣＮ比）の変化の様子とを、それぞれ、実線と一点鎖線とで示している。図４（Ａ）に示すように、放送エリアＡの放送局ａが放送しているチャンネルＣＨ１のキャリアノイズ比（ＣＮ比）は、携帯端末１が放送エリアＡから放送エリアＢの方向へ移動するにつれて徐々に低下していき、一方、放送エリアＢの放送局ｂが放送しているチャンネルＣＨ２のキャリアノイズ比（ＣＮ比）は、携帯端末１が放送エリアＡから放送エリアＢの方向へ移動するにつれて徐々に高くなっていく。
【００５０】
また、図４において、図４（Ｂ）は、地上デジタル放送を視聴中の携帯端末１が図１に示す放送エリアＡ内の地点ｐ１から放送エリアＢ内の地点ｐ３に移動していった場合の、図２のメモリ１６内に現在視聴中のチャンネルとして記憶されているＤＴＶチャンネルリストの登録内容を制御部１４によって更新する様子を示しており、図４（Ｃ）は、地上デジタル放送を視聴中の携帯端末１が図１に示す放送エリアＡ内の地点ｐ１から放送エリアＢ内の地点ｐ３に移動していった場合の、制御部１４の動作シーケンスの一例を示している。ここで、図４（Ｂ）のＤＴＶチャンネルリストに示すように、最初は、携帯端末１は放送エリアＡ内に存在しているので、現在視聴中の地上デジタル放送のチャンネルについて、放送エリアＡの放送局ａのチャンネルＣＨ１が登録されている。
【００５１】
一般に、テレビジョン放送の映像音声情報の受信品質は、ＤＴＶチューナ(第１ＤＴＶチューナ１１、第２ＤＴＶチューナ１２)において受信される放送信号(キャリア)とノイズとの比で決定され、このキヤリアノイズ比（ＣＮ比）が高いほど、受信チャンネルの電界強度は強く、当該受信チャンネルにおけるテレビジョン放送の映像音声情報の受信品質は良好である。図４の説明に当たっては、前述したように、テレビジョン放送の映像音声情報の受信品質を、キャリアノイズ比（ＣＮ比）に置き換えて説明している。
【００５２】
制御部１４は、現在視聴中のチャンネルＣＨ１の電界強度を把握するための手段として、第１ＤＴＶチューナ１１により受信される現在視聴中のチャンネル(以下チャンネルＣＨ１とする)のキャリアノイズ比(ＣＮ比)を常時監視しており、図４（Ａ）に示すように、携帯端末１が地点ｐａに達した際に、現在視聴中のチャンネルＣＨ１のキャリアノイズがあらかじめ定めた第１のキャリアノイズ閾値ＣＮＡを下回ったことを検出すると、図４（Ｃ）に示すように、受信中のチャンネルＣＨ１と同系列の番組の放送をしている他のチャンネルが割り当てられている次の放送エリアの予測処理を実行する（シーケンスＳｅｑ１）。
【００５３】
制御部１４は、次の放送エリアの予測結果に基づいて、今後の移動先となる地点ｐ３が存在する放送エリアＢにおいて同系列の番組の放送をしているチャンネルＣＨ２を抽出した後、第２ＤＴＶチューナ１２をＯＮして、チャンネルＣＨ２を選局した状態で立ち上げる（シーケンスＳｅｑ２）。
【００５４】
次いで、制御部１４は、図４（Ａ）に示すように、携帯端末１が地点ｐｂに達した地点で、第２ＤＴＶチューナ１２にて受信されるチャンネルＣＨ２のキャリアノイズ比（ＣＮ比）が、現在視聴中のチャンネルＣＨ１のキャリアノイズ比との比較が可能なレベルとしてあらかじめ定めた第２のキャリアノイズ閾値ＣＮＢを上回っていることを確認すると、図４（Ｃ）に示すように、第１ＤＴＶチューナ１１にて受信される現在視聴中のチャンネルＣＨ１のキャリアノイズ比（ＣＮ比）と第２ＤＴＶチューナ１２にて受信されるチャンネルＣＨ２のキャリアノイズ比（ＣＮ比）との比較を開始する（シーケンスＳｅｑ３）。
【００５５】
比較動作を開始した制御部１４は、図４（Ａ）に示すように、携帯端末１が地点ｐｃに達した地点で、第２ＤＴＶチューナ１２にて受信されるチャンネルＣＨ２のキャリアノイズ比（ＣＮ比）が、第１ＤＴＶチューナ１１にて受信される現在視聴中のチャンネルＣＨ１のキャリアノイズ比（ＣＮ比）を上回り、例えばチャンネルＣＨ１のキャリアノイズ比（ＣＮ比）よりも＋２ｄＢ上回った値まで達したときに、図４（Ｃ）に示すように、モニタに表示する地上デジタル放送の映像音声情報を放送エリアＢの放送局ｂからの放送信号を用いるように、図２の映像音声出力部１５へ出力する映像音声信号をチャンネルＣＨ１からチャンネルＣＨ２へと切り替える動作を開始する（シーケンスＳｅｑ４）。
【００５６】
制御部１４は、図４（Ｃ）に示すように、チャンネルＣＨ１のキャリアノイズ比（ＣＮ比）とチャンネルＣＨ２のキャリアノイズ比（ＣＮ比）との比較処理を継続しながら、図４（Ａ）に示すように、携帯端末１が地点ｐｄに達した地点で、視聴中のチャンネルに関してチャンネルＣＨ１からチャンネルＣＨ２への切り替え動作が完了すると、図４（Ｂ）のメモリ１６のＤＴＶチャンネルリストに示すように、現在視聴中の地上デジタル放送のチャンネルを、放送エリアＡの放送局ａのチャンネルＣＨ１から放送エリアＢの放送局ｂのチャンネルＣＨ２が登録されている状態に切り替える（シーケンスＳｅｑ５）。
【００５７】
チャンネルＣＨ２への切り替え動作が完了した後において、制御部１４は、過去に視聴中の状態にあったチャンネルＣＨ１のキャリアノイズ比（ＣＮ比）が第２のキャリアノイズ閾値ＣＮＢを下回ったことを検出すると、第１ＤＴＶチューナ１１の電源をＯＦＦして、使用中の状態から開放状態に移行させ、しかる後においても、新たに視聴中の状態に切り替えたチャンネルＣＨ２のキャリアノイズ比（ＣＮ比）が、第１のキャリアノイズ閾値ＣＮＡをまだ下回った状態にあった場合には、シーケンスＳｅｑ１の動作に復帰して、次の放送エリアの予測処理をさらに実行する（シーケンスＳｅｑ６）。
【００５８】
次いで、制御部１４は、シーケンスＳｅｑ２の場合と同様に、次の放送エリアの予測結果に基づいて、今後の移動先となる例えば放送エリアＣにおいて同系列の番組の放送をしているチャンネルＣＨ３を抽出した後、開放した第１ＤＴＶチューナ１１の電源を再度ＯＮして、チャンネルＣＨ３を選局する状態で立ち上げる。しかる後、制御部１４は、シーケンスＳｅｑ３の場合と同様に、図４（Ａ）に示すように、第１ＤＴＶチューナ１１にて受信されるチャンネルＣＨ３のキャリアノイズ比（ＣＮ比）が第２のキャリアノイズ閾値ＣＮＢを上回っていることを確認すると、第２ＤＴＶチューナ１２にて受信される現在視聴中のチャンネルＣＨ２のキャリアノイズ比（ＣＮ比）と第１ＤＴＶチューナ１１にて受信されるチャンネルＣＨ３のキャリアノイズ比（ＣＮ比）との比較を開始する。
【００５９】
一方、携帯端末１が、図４（Ａ）に示すように、放送エリアＢの放送局ｂにより近い位置の地点ｐ３まで移動して、視聴中の状態に切り替えたチャンネルＣＨ２のキャリアノイズ比（ＣＮ比）が、第１のキャリアノイズ閾値ＣＮＡ以上に上回った状態に達した場合には、図４（Ｃ）に示すように、現在視聴中のチャンネルＣＨ２にて最良の受信品質で視聴することが可能な状態にあるものと判定して、さらなるチャンネル切り替え動作を終了する。つまり、チャンネルＣＨ２のキャリアノイズ比（ＣＮ比）とチャンネルＣＨ３のキャリアノイズ比（ＣＮ比）との比較動作を中止するとともに、チャンネルＣＨ３を選局して受信状態にあった第１ＤＴＶチューナ１１の電源をＯＦＦして、開放状態に移行させる（シーケンスＳｅｑ７）。
【００６０】
この結果、チャンネルＣＨ２のキャリアノイズ比（ＣＮ比）が第１のキャリアノイズ閾値ＣＮＡを下回らない限り、放送エリアＢの放送局ｂが放送するチャンネルＣＨ２による地上デジタル放送を視聴する状態を継続することになる。
【００６１】
次に、図１の模式図に類似する図５の模式図を用いて、予想通過点ｐ３の具体的な算出方法と携帯端末１が今後移動する中で切り替えるべきチャンネルの具体的なサーチ方法についてさらに説明する。
【００６２】
図５は、テレビジョン放送受信機能を備えた携帯端末が３つ以上の放送エリアが重複するエリアを通過する場合の予想通過点ｐ３の決定および次に切り替えるチャンネルの候補の選択を行う具体的な方法を説明するための模式図である。ここで、図５は、図１の場合と同様、テレビジョン放送受信機能を備えた携帯端末１が、矢印に示すように、放送局ａ，ｂ，ｃそれぞれの放送エリアＡ、Ｂ，Ｃが重複しているエリアを通って、放送エリアＡ内の地点ｐ１から放送エリアＢ内の地点ｐ３に向かって直線経路ｌ上を直線的に移動している様子を示している。
【００６３】
また、放送局ａ，ｂ，ｃは、例えば、ワンセグデジタル放送を放送しているワンセグ放送局であり、地点ｐ１が、ＧＰＳ機能による測位を開始した第１回目のＧＰＳ測位点であり、地点ｐ２が、直線経路ｌ上を移動中の携帯端末１が第２回目に測位したＧＰＳ測位点であり、地点ｐ３が、地点ｐ１と地点ｐ２とを結ぶ直線の延長上にある直線経路ｌ上の予想通過点を示している。
【００６４】
移動を開始して受信品質の低下を感知した携帯端末１の制御部１４は、前述したように、ＧＰＳ１３を起動して、放送エリアＡに属するＧＰＳ測位開始点である地点ｐ１にて、ＧＰＳ機能による第１回目の測位を開始した後、あらかじめ定めた一定時間経過する都度、ＧＰＳ機能による測位を繰り返し、直前の測位結果と今回の測位結果とを直線で結ぶ延長線上を今後の移動方向として予測する動作を繰り返す。例えば、第１回目のＧＰＳ測位開始点の地点ｐ１の次に、直線経路ｌ上を移動中の次のＧＰＳ測位点の地点ｐ２において第２回目の測位を行った際に、地点ｐ１における第１回目の測位結果を用いて、地点ｐ１と地点ｐ２とを結ぶ直線の延長上にある直線経路ｌ上の予想通過点ｐ３を予測する。ここで、直線経路ｌ上の予想通過点ｐ３の位置は、今後のチャンネル切り替え候補とすべき放送エリアを選択可能とする距離としてあらかじめ定めた距離Ｄだけ、今回のＧＰＳ測位点である地点ｐ２から移動した直線経路ｌ上の位置とする。
【００６５】
さらに、制御部１４は、現在視聴中のチャンネルＣＨ１を放送している放送局ａに隣接する２つの放送エリアＢ，Ｃの放送局ｂ，ｃのうち、移動先の通過点となる予想通過点ｐ３と現在位置の地点ｐ２とを結ぶ直線経路ｌまでの距離が最も短い放送局が放送しているチャンネルを、携帯端末１が今後移動する中で切り替えるべき次のチャンネルの候補として選択する。例えば、図５において、隣接する放送局ｂから直線経路ｌまでの距離ｄ１が、放送局ｃから直線経路ｌまでの距離ｄ２よりも短い場合には、直線経路ｌまでの距離ｄ１が最短の放送局ｂが放送するチャンネルＣＨ２を、次に切り替えるべき候補のチャンネルとして選択して、現在視聴中のチャンネルＣＨ１の受信品質との比較動作を開始する。
【００６６】
なお、前述の図１や図５の説明においては、放送エリアＡ，Ｂ，Ｃが放送局ａ，ｂ，ｃによって形成される場合を説明しているが、放送局ａ，ｂ，ｃの代わりに、放送信号を中継する中継局ａ，ｂ，ｃによって形成される場合であっても、もちろん構わない。
【００６７】
（実施形態の効果の説明）
以上に詳細に説明したように、本実施形態においては、次のような効果が得られる。つまり、本実施形態においては、ＧＰＳ機能によって取得された位置情報に基づいて、テレビジョン放送例えば地上デジタル放送を視聴中の携帯端末１の今後の移動先とされる予想通過点を予測し、その予想通過点の予測結果を用いて、該予想通過点における放送エリアについて次のチャンネルサーチを実行することによって、図１に示すような隣接する３つ以上のチャンネルが重複する放送エリアを通過する場合であっても、当該携帯端末１の移動方向に適したチャンネル選択を確実に行うことが可能であり、移動中において途切れることなくテレビジョン放送例えば地上デジタル放送を視聴することができる。
【００６８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６９】
１      携帯端末
１１    第１ＤＴＶチューナ
１２    第２ＤＴＶチューナ
１３    ＧＰＳ
１４    制御部
１５    映像音声出力部
１６    メモリ
１６ａ  ＤＴＶチャンネルリスト
１７    ＤＴＶアンテナ
１８    ＧＰＳアンテナ
Ａ      放送エリア
Ｂ      放送エリア
Ｃ      放送エリア
ＣＮＡ  第１のキャリアノイズ閾値
ＣＮＢ  第２のキャリアノイズ閾値
Ｄ      距離
ａ      放送局
ｂ      放送局
ｃ      放送局
ｌ      直線経路
ｐ１    地点（ＧＰＳ測位開始点、第１回目ＧＰＳ測位点）
ｐ２    地点（第２回目ＧＰＳ測位点）
ｐ３    地点（予想通過点）
Ｒ１    重複エリア
Ｒ２    重複エリア
【図１】
0005557323.tif 000002
【図２】
0005557323.tif 000003
【図３】
0005557323.tif 000004
【図４】
0005557323.tif 000005
【図５】
0005557323.tif 000006